(57)【要約】【課題】  従来の二条の水返し手段を備えた瓦は、尻端表面及び差込み端表面の水返し突条による水返し突条と、この尻側・差込み側の水返し突条に略平行に配した尻内方表面・差込み内方表面に位置する水返し突条とによる構成である。この構成では、この瓦の葺合せ箇所よりの雨水、風の侵入防止に対して十分でない。【構成】瓦の表面に形成した水返し傾斜溝は、始端は棧山端に、また終端は差込み頭端近傍に至る略鉤方を呈しており、この尻側に位置する山形形状の水返し傾斜溝と、差込み側に位置する直線形状水返し傾斜溝とで構成し、山形形状の水返し傾斜溝は、尻側に設けた水返し突条に、また直線形状の水返し傾斜溝は、差込み側に設けた水返し突条と併設する瓦である。【選択図】    図4
2005146523.tif 000002
【特許請求の範囲】
【請求項１】
瓦の表面に形成した水返し傾斜溝は、平面視して略鉤方を呈しており、その始端は棧山端に、また終端は差込み頭端近傍にそれぞれ至り、また尻側に位置する水返し傾斜溝は、平面視して山形形状で、差込み側に位置する水返し傾斜溝は、平面視して直線形状であって、
この山形形状の水返し傾斜溝は、尻側に設けた水返し突条に、また前記直線形状の水返し傾斜溝は、差込み側に設けた水返し突条と、それぞれ併設する構成とした瓦。
【請求項２】
請求項1に記載した瓦は、尻棧山側に切欠き部を、また差込み頭側に切欠き部をそれぞれ形成し、前記尻側の内方に釘孔を、また前記尻側の棧山端から差込み側の頭端に向かって水返し突条を形成し、また差込み側の水返し突条に略平行する差込み内方水返し突条を形成する構成とした瓦。
【請求項３】
請求項1に記載した山形形状の水返し傾斜溝は、その略中心部に、瓦本体の内方表面と整合する傾斜切欠き面を形成する構成とした瓦。
【請求項４】
請求項1に記載した山形形状の水返し傾斜溝と、直線形状の水返し傾斜溝を、連設する構成とした瓦。
【発明の詳細な説明】
【技術分野】
【０００１】
本発明は、二条の水返し手段を備えた瓦に関する。
【背景技術】
【０００２】
従来、この種の二条の水返し手段を備えた瓦としては、通常の水返し突条(Aで示す)と、さらに別の一条の水返し突条(Bで示す)を形成する構造であり、例えば、(A)は、尻端表面に位置する水返し突条(尻側水返し突条)と、差込み端表面に位置する水返し突条(差込み側水返し突条)による端表面の水返し突条であり、(B)は、尻側水返し突条に略平行に配した尻内方表面に位置する水返し突条(尻内方水返し突条)と、差込み側水返し突条に略平行に配した差込み内方表面に位置する水返し突条(差込み内方水返し突条)による内方表面の水返し突条であり、この端表面の水返し突条と、内方表面の水返し突条とでなる二条の水返し突条である。
【０００３】
このような二条の水返し突条を採用する文献としては、文献(1)が特開平10-280616の「軒瓦と桟瓦の組み合わせによる瓦屋根」、文献(2)が実用新案登録第3040502号の「桟瓦」、又は文献(3)が特開2002-167905の「桟瓦」等がある。以下、その概要を説明する。
【０００４】
文献(1)は、瓦表面の尻端の突条と、この尻端の突条に平行する他の突条による尻側の水返し突条と、衿端(差込み端)の突条と、この衿端の突条に平行する他の突条による衿側の水返し突条とによる二条の水返し突条である。しかし、この発明は、尻端の突条に平行する他の突条は、棧山の略頂面が始端とする構成である。従って、棧山の最も大切な棧山端の雨水の防禦には役立たないこと、又は単なる他の突条と、直線形状の水返し突条では、雨水の遡上を有効に阻止できないこと等の問題点が考えられる。そして、この衿端の突条構造では、他の突条を雨水が乗り越える虞があり、雨水対策が十分とは云えないことが考えられる。
【０００５】
また文献(2)においても、前述の文献(1)と略同じ構造を採用することから、同様な問題点と、雨水対策において十分とは云えないこと等が考えられる。
【０００６】
さらに文献(3)は、瓦表面の谷部に設けた陥凹部と、桟部及び差込側にそれぞれ設けた突条部とを備えた構成であり、この中で各突条部が他の瓦の頭垂れに衝止し、また差込側には二条の水返し突条を設けたことを特徴とする。従って、前記衝止を介してズレ止めを図るとともに、雨水の侵入防止を図ること、また差込側の二条の水返し突条により、雨水の侵入防止を図ること等を意図する。しかし、この発明は、尻側に二条の水返し突条を有さないことから、遡上する雨水対策において十分とは云えないことが考えられる。また差込側の二条の水返し突条は雨水対策として有効であるが、従来の単純な二条の水返し突条であることを考慮すると、強風、暴風時の災害の際に、雨水対策として機能しないことも考えられる。
【０００７】
【特許文献１】特開平10-280616
【特許文献２】実用新案登録第3040502号
【特許文献３】特開2002-167905
【発明の開示】
【発明が解決しようとする課題】
【０００８】
前記で列挙した文献1〜3が、問題点を有することを概述した。そして、この改良点は、防災用の瓦としては、解決すべき内容に考えられる。殊に、近時、不順な天候が続いている状況では、避けて通れない状況になりつつある。
【０００９】
上記に鑑み、本発明は、近時、不順な天候においても、十分な耐風雨効果が期待できる瓦の提供を意図する。
【課題を解決するための手段】
【００１０】
請求項1の発明は、尻側全体(棧山端から差込み側端まで)に二段(水返し傾斜溝と水返し突条)の水返し突条を形成し、また差込み全体(尻側端から頭側端まで)に少なくとも二段(水返し傾斜溝、三角形状の水返し突条及び／又は水返し突条)の水返し突条を形成したことで、遡上する雨水のガードと、雨水の侵入回避とを図り、雨仕舞いの向上を図ることを意図する。
【００１１】
請求項1は、瓦の表面に形成した水返し傾斜溝は、平面視して略鉤方を呈しており、その始端は棧山端に、また終端は差込み頭端近傍にそれぞれ至り、また尻側に位置する水返し傾斜溝は、平面視して山形形状で、差込み側に位置する水返し傾斜溝は、平面視して直線形状であって、
この山形形状の水返し傾斜溝は、尻側に設けた水返し突条に、また前記直線形状の水返し傾斜溝は、差込み側に設けた水返し突条と、それぞれ併設する構成とした瓦である。
【００１２】
請求項2の発明は、尻側全体に二段(水返し傾斜溝と水返し突条)の水返し突条を形成し、また差込み全体に少なくとも三段(水返し傾斜溝、三角形状の水返し突条及び水返し突条)の水返し突条を形成したことで、遡上する雨水をガードすること、雨水の侵入回避を図り、かつ雨仕舞いの向上を図ることを意図する。
【００１３】
請求項2は、請求項1に記載した瓦は、尻棧山側に切欠き部を、また差込み頭側に切欠き部をそれぞれ形成し、前記尻側の内方に釘孔を、また前記尻側の棧山端から差込み側の頭端に向かって水返し突条を形成し、また差込み側の水返し突条に略平行する差込み内方水返し突条を形成する構成とした瓦である。
【００１４】
請求項3の発明は、尻側全体に二段(水返し傾斜溝と水返し突条)の水返し突条を形成した際に、当該水返し傾斜溝と水返し突条との間に侵入した雨水を確実に、瓦本体の内方表面に導くこと、又は雨水の屋根地への侵入回避を図ること等を意図する。
【００１５】
請求項3は、請求項1に記載した山形形状の水返し傾斜溝は、その略中心部に、瓦本体の内方表面と整合する傾斜切欠き面を形成する構成とした瓦である。
【００１６】
請求項4の発明は、請求項1の目的を最大限に発揮することを意図する。
【００１７】
請求項4は、請求項1に記載した山形形状の水返し傾斜溝と、直線形状の水返し傾斜溝を、連設する構成とした瓦である。
【発明の効果】
【００１８】
請求項1の発明は、瓦の表面に形成した水返し傾斜溝は、平面視して略鉤方を呈しており、その始端は棧山端に、また終端は差込み頭端近傍にそれぞれ至り、また尻側に位置する水返し傾斜溝は、平面視して山形形状で、差込み側に位置する水返し傾斜溝は、平面視して直線形状であって、山形形状の水返し傾斜溝は、尻側に設けた水返し突条に、また直線形状の水返し傾斜溝は、差込み側に設けた水返し突条と、それぞれ併設する構成とした瓦である。
【００１９】
従って、請求項1は、尻側全体に二段の水返し突条を形成し、また差込み全体に少なくとも二段の水返し突条を形成したことで、遡上する雨水を略確実にガードできること、雨水の侵入回避が図れ、かつ雨仕舞いの向上が図れること等の特徴がある。
【００２０】
請求項2の発明は、請求項1に記載した瓦は、尻棧山側に切欠き部を、また差込み頭側に切欠き部をそれぞれ形成し、前記尻側の内方に釘孔を、また尻側の棧山端から差込み側の頭端に向かって水返し突条を形成し、また差込み側の水返し突条に略平行する差込み内方水返し突条を形成する構成とした瓦である。
【００２１】
従って、請求項2は、尻側全体に二段の水返し突条を形成し、また差込み全体に三段の水返し突条を形成したことで、遡上する雨水を略確実にガードできること、雨水の侵入回避が図れること、また雨仕舞いの向上が図れること等の特徴がある。
【００２２】
請求項3の発明は、請求項1に記載した山形形状の水返し傾斜溝は、その略中心部に、瓦本体の内方表面と整合する傾斜切欠き面を形成する構成とした瓦である。
【００２３】
従って、請求項3の発明は、尻側全体に二段の水返し突条を形成した際に、当該水返し傾斜溝と水返し突条との間に侵入した雨水を確実に、瓦本体の内方表面に導け得ること、又は雨水の屋根地への侵入回避が図れること等の特徴がある。
【００２４】
請求項4の発明は、請求項1に記載した山形形状の水返し傾斜溝と、直線形状の水返し傾斜溝を、連設する構成とした瓦である。
【００２５】
従って、請求項4は、請求項1の目的を最大限に発揮できる実益がある。
【発明を実施するための最良の形態】
【００２６】
以下、本発明の実施の態様(形態)を説明する。
【００２７】
：図1〜図5に示した和形の瓦1について説明すると、この瓦1は、尻端表面1aに水返し突条2を形成する。この水返し突条2は、差込み尻端100を始端に、棧山101を経由して、その終端は尻棧山隅に設けた尻棧山隅切欠き部102の略全体に至る。従って、尻側1-1の略全体をガードする構成であり、尻端裏面1bへの雨水の侵入回避を図る。この水返し突条2に略平行するように、平面視して山形形状を呈する水返し傾斜溝3を設ける。この山形形状の水返し傾斜溝3は、内方表面側300が浅く、尻側表面側301が深く形成する。この傾斜面302は、水返し傾斜溝3を乗り越えた雨水、又は水返し突条2に堰き止められた雨水を、内方表面1cに誘導する役割がある。そして、この役割を助長する構成としては、図5に示す傾斜切欠き面303が望ましい。
【００２８】
図中4は釘孔を示す。
【００２９】
またこの瓦1は、差込み端表面1dに水返し突条5を形成する。この水返し突条5は、差込み尻端100を始端に、その終端は頭端表面1eに至る。従って、差込み側1-2の略全体をガードする構成であり、差込み端裏面1fへの雨水の侵入回避を図る。この水返し突条5に略平行するように、平面視して直線形状を呈する水返し傾斜溝6を設ける。この直線形状の水返し傾斜溝6は、内方表面側600が浅く、差込み側表面側601が深く形成する。この傾斜面602は、直線形状の水返し傾斜溝6を乗り越えた雨水、又は水返し突条5に堰き止められた雨水を、内方表面1cに誘導する役割がある。
【００３０】
図中7は差込み側内方水返し突条であり、前記水返し突条5と直線形状の水返し傾斜溝6との間に設けられており、この例では、直線形状の水返し傾斜溝6の差込み側表面側601に連設して突設形成されている。
【００３１】
前記山形形状の水返し傾斜溝3と直線形状の水返し傾斜溝6とで、平面視すると略鉤方を呈し、連設されているが、必要により、分離される。この略鉤方の形状は、雨水の浸入防止と、侵入した雨水の内方表面1cへの誘導等に有益である。
【００３２】
図中103は頭差込み隅切欠き部を示す。そして、前記直線形状の水返し傾斜溝6は、この頭差込み隅切欠き部103の近傍に至る。
【００３３】
次に図4に示す葺設状態を説明すると、下段の瓦1の水返し突条2と山形形状の水返し傾斜溝3には、上段に葺設される同じ構成の瓦1Aの頭側1A-3が葺設されることで、この水返し突条2と山形形状の水返し傾斜溝3は隠蔽される。従って、この上下段の瓦1、1Aの葺合せ隙間(葺合せ部位)より侵入する雨水及び／又は風(雨水とする)は、当該下段の瓦1の水返し突条2と山形形状の水返し傾斜溝3とによりガードされて、当該葺合せ部位からの雨水等の侵入防止が図れる。また侵入した雨水は、傾斜面302より内方表面1cに誘導される。また棧山101の雨水も、この棧山101を基点に、かつ山形形状の水返し傾斜溝3により振り分けられて、棧山端101aと、内方表面1cとに誘導される。そして、前述の如く、当該水返し突条2と山形形状の水返し傾斜溝3とによりガードすることで、暴風雨対策として有益である。また下段の瓦1の水返し突条5及び／又は差込み側内方水返し突条7と直線形状の水返し傾斜溝6には、右段(右側)に葺設される同じ構成の瓦1Bの棧山101Bが葺設されることで、当該下段の瓦1の少なくともこの直線形状の水返し傾斜溝6と水返し突条5は隠蔽される。従って、下段と右段の瓦1、1Bの葺合せ隙間より侵入する雨水は、当該水返し突条5と直線形状の水返し傾斜溝6とによりガードされて、この雨水等の侵入回避が図れる。また侵入した雨水は、傾斜面602より内方表面1cに誘導される。そして、また差込み側内方水返し突条7を設けたことで、略完全に当該下段と右段の瓦1、1Bの葺合せ部位への雨水等の侵入防止が図れる。また前述の如く、当該水返し突条5及び／又は差込み側内方水返し突条7と直線形状の水返し傾斜溝6とによりガードすることで、暴風雨対策として有益である。
【００３４】
：図6〜図9に示した防災和形切落し棧の瓦1について説明すると、この瓦1は、山形形状の尻側内方傾斜面8を設けた構成であり、この尻側内方傾斜面8は差込み側内方水返し突条7に連設されている。またこの尻側内方傾斜面8は、水返し傾斜溝3に併設するが、その尻側1-1の裾部表面8aは、略内方表面1cと同じレベルか、又は幾分低く構成する(他の例も同じ)。このレベルを同じとして、瓦1の体裁を確保する。また当該レベルを幾分低くして、水返し突条2の防水効果を拡充する。従って、水返し傾斜溝3と尻側内方傾斜面8、又は水返し傾斜溝6と差込み側内方水返し突条7とによる二重の水返し手段が形成される。従って、雨水対策に有効である。図中9は瓦1の頭側裏面1b-1に設けた薄肉部で、この薄肉部9には水返し突条2が入込む構成である。他の構成は前述の例に準ずる。そして、この例では、水返し傾斜溝3が水返し突条2に併合する構成である。
【００３５】
：図10〜図12に示した一文字軒先用の瓦1について説明すると、この瓦1は、垂れ10を備えた構成であり、この垂れ10には、切欠き部10-1と、突設部10-2とを備える。他の構成は、前述の図6〜図8の例にも準ずる。
【００３６】
：図13〜図15に示した万十軒先用の瓦1について説明すると、この瓦1は、垂れ10と万十11とを備えた構成であり、他の構成は、前述の図6〜図8の例にも準ずる。
【００３７】
：図16〜図19に示した万十大角用の瓦1について説明すると、この瓦1は、尻側表面側301に、水返し突条2と、尻側内方傾斜面8及び水返し内方溝3を併設した構成であり、差込み側1-2は平坦形状である。この差込み側1-2には、例えば、図13〜図15に示した瓦1が重ね葺される。図中12は差込み側1-2に袖垂れを示す。他の構成は、前述の図13〜図15の例にも準ずる。
【００３８】
：図19〜図21に示した小角用の瓦1について説明すると、この瓦1は、尻側表面側301に、水返し突条2と、尻側内方傾斜面8及び水返し内方溝3を併設し、また差込み側表面側601に、水返し突条5と、差込み側内方水返し突条7及び水返し内方溝6を併設した構成であり、棧山101に袖瓦12aを有しており、この差込み側1-2には、例えば、図示しない軒瓦が重ね葺される。他の構成は、前述の図10〜図12の例にも準ずる。
【００３９】
：図22〜図24に示した大角切落し用の瓦1について説明すると、この瓦1は、尻側表面側301に、水返し突条2と、尻側内方傾斜面8及び水返し内方溝3を併設した構成であり、差込み側1-2に袖垂れ12bを有する。この棧山101は、例えば、図16〜図8に示した瓦1が重ね葺される。他の構成は、前述の図16〜図18の例にも準ずる。そして、この例では、差込み側1-2に釘孔4を有する。
【００４０】
：図25〜図27に示した小角用の瓦1について説明すると、この瓦1は、袖垂れ12cを備えた構成であり、他の構成は、前述の図6〜図8の例にも準ずる。
【００４１】
：図28〜図30に示した本平瓦と丸瓦で構成した簡易形本葺き用の瓦1について説明すると、この瓦1は、尻側表面側301に、水返し突条2と、尻側内方傾斜面8及び水返し内方溝3を併設し、また差込み側表面側601に、水返し突条5と、差込み側内方水返し突条7及び水返し内方溝6を併設した構成であり、棧山101が丸瓦に相当する。他の構成は、前述の図6〜図8の例にも準ずる。
【図面の簡単な説明】
【００４２】
【図１】本発明の和形用の瓦の一例を示した表面斜視図
【図２】図1のB-B断面図
【図３】図1のA-A断面図
【図４】図1の瓦と他の瓦との葺設を示した俯瞰図
【図５】図1の他の和形用の瓦の一例を示した表面斜視図
【図６】防災和形切落し棧の瓦の正面図
【図７】図6の頭側よりの側面図
【図８】図6の棧山側からの側面図
【図９】図6の例の葺合せを示した模式図
【図１０】一文字軒先用の瓦の正面図
【図１１】図10の頭側よりの側面図
【図１２】図10の棧山側からの側面図
【図１３】万十軒先用の瓦の正面図
【図１４】図13の頭側よりの側面図
【図１５】図13の棧山側からの側面図
【図１６】万十大角用の瓦の正面図
【図１７】図16の頭側よりの側面図
【図１８】図16の棧山側からの側面図
【図１９】万十小角用の瓦の正面図
【図２０】図19の頭側よりの側面図
【図２１】図19の棧山側からの側面図
【図２２】大角切落し用の瓦の正面図
【図２３】図22の頭側よりの側面図
【図２４】図22の棧山側からの側面図
【図２５】小角用の瓦の正面図
【図２６】図25の頭側よりの側面図
【図２７】図25の棧山側からの側面図
【図２８】簡易形本葺き用の瓦の正面図
【図２９】図16の頭側よりの側面図
【図３０】図16の棧山側からの側面図
【符号の説明】
【００４３】
1             瓦
100           差込み尻端
101           棧山
101a          棧山端
102           尻棧山隅切欠き部
103           頭差込み隅切欠き部
1-1           尻側
1-2           差込み側
1a            尻端表面
1b            尻端裏面
1c            内方表面
1d            差込み端表面
1e            頭端表面
1f            差込み端裏面
1A            瓦
1A-3          頭側
1B            瓦
101B          棧山
2             水返し突条
3             水返し傾斜溝
300           内方表面側
301           尻側表面側
302           傾斜面
303           傾斜切欠き面
4             釘孔
5             水返し突条
6             水返し傾斜溝
600           内方表面側
601           差込み側表面側
602           傾斜面
7             差込み側内方水返し突条
8             尻側内方傾斜面
8a            裾部表面
9             肉薄部
10            垂れ
12            袖垂れ
12a           袖垂れ
12b           袖垂れ
12c           袖垂れ
【図１】
2005146523.tif 000003
【図２】
2005146523.tif 000004
【図３】
2005146523.tif 000005
【図４】
2005146523.tif 000006
【図５】
2005146523.tif 000007
【図６】
2005146523.tif 000008
【図７】
2005146523.tif 000009
【図８】
2005146523.tif 000010
【図９】
2005146523.tif 000011
【図１０】
2005146523.tif 000012
【図１１】
2005146523.tif 000013
【図１２】
2005146523.tif 000014
【図１３】
2005146523.tif 000015
【図１４】
2005146523.tif 000016
【図１５】
2005146523.tif 000017
【図１６】
2005146523.tif 000018
【図１７】
2005146523.tif 000019
【図１８】
2005146523.tif 000020
【図１９】
2005146523.tif 000021
【図２０】
2005146523.tif 000022
【図２１】
2005146523.tif 000023
【図２２】
2005146523.tif 000024
【図２３】
2005146523.tif 000025
【図２４】
2005146523.tif 000026
【図２５】
2005146523.tif 000027
【図２６】
2005146523.tif 000028
【図２７】
2005146523.tif 000029
【図２８】
2005146523.tif 000030
【図２９】
2005146523.tif 000031
【図３０】
2005146523.tif 000032